(57)【要約】【課題】給湯機本体とリモコン間の通信の応答性を向上する。【解決手段】給湯機本体１とこの本体１に通信可能に接続され、この本体１を遠隔操作する複数のリモコン２、３とからなり、本体１からのデータが各リモコン２、３に送信された後に各リモコン２、３からのデータがポーリング方式により本体１に送信される通信フレームを構成し、本体１からリモコン２、３に送信する一連のデータを複数のデータ群に分割し、複数の通信フレームに分けて周期的に順次送信する通信制御手段１０とを備えた。【選択図】図１
2004257598.tif 000002
【特許請求の範囲】
【請求項１】
給湯機本体とこの本体に通信可能に接続され、この本体を遠隔操作する複数のリモコンとからなり、本体からのデータが各リモコンに送信された後に各リモコンからのデータがポーリング方式により本体に送信される通信フレームを構成し、本体からリモコンに送信する一連のデータを複数のデータ群に分割し、複数の通信フレームに分けて周期的に順次送信する通信制御手段とを備えたことを特徴とする給湯機の遠隔操作装置。
【請求項２】
給湯機本体とこの本体に通信可能に接続され、この本体を遠隔操作する複数のリモコンとからなり、本体からのデータが各リモコンに送信された後に各リモコンからのデータがポーリング方式により本体に送信される通信フレームを構成し、本体からリモコンに送信する一連のデータを複数のデータ群に分割し、複数の通信フレームに分けて周期的に順次送信する通信制御手段と、リモコンの操作に応じて本体から送信するデータに変更が生じた場合は、変更のあったデータを含むデータ群を他の変更のないデータ群に優先して送信するようにしたデータ送信順序変更手段とを備えたことを特徴とする給湯機の遠隔操作装置。
【発明の詳細な説明】
【０００１】
【発明の属する技術分野】
本発明は、例えば給湯機本体に対して複数のリモコンが設けられた給湯機の遠隔操作装置に関するものである。
【０００２】
【従来の技術】
従来よりこの種のものにおいては、特開平６−２４９４３３号公報に開示されているように、給湯機本体からのデータを複数のリモコンに対して一括送信した後に、各リモコンに順々に応答要求を送信して各リモコンからのデータを順次受信するポーリング方式により通信するようにしたものがあった。
【０００３】
また、特開平５−３２８４６６号公報に開示されているように、給湯機本体からリモコンに対して送信するデータを複数のデータ群に分割して順次各リモコンに送信するようにしているものがあった。
【０００４】
【特許文献１】特開平６−２４９４３３号公報
【特許文献２】特開平５−３２８４６６号公報
【０００５】
【発明が解決しようとする課題】
ところでこの従来の特許文献１のものは、給湯機本体から送信するデータの量が多くなった場合、各リモコンに応答要求が送信されるまでの間隔が長くなってリモコンから給湯機本体にデータを送信するまでの待ち時間が長くなって、結果として応答性が悪く、例えば操作に応じたリモコン表示の変更が遅れるなどの課題があった。
【０００６】
また、特許文献２のものでは、複数のデータ群を予め定められた順番で順次送信するため、リモコンの操作に応じてデータ群のうちの１つが変更されても、予め定められた順番になるまで給湯機本体からその変更されたデータが送信されず、結果として応答性が悪く、例えば操作に応じたリモコン表示の変更が遅れるなどの課題があった。
【０００７】
【課題を解決するための手段】
そこで、本発明は前記課題を解決するため、請求項１では、給湯機本体とこの本体に通信可能に接続され、この本体を遠隔操作する複数のリモコンとからなり、本体からのデータが各リモコンに送信された後に各リモコンからのデータがポーリング方式により本体に送信される通信フレームを構成し、本体からリモコンに送信する一連のデータを複数のデータ群に分割し、複数の通信フレームに分けて周期的に順次送信する通信制御手段とを備えたものとした。
【０００８】
これにより、給湯機本体から各リモコンに送信するデータのデータ長が短くなり、各リモコンから給湯機本体にデータを送信するまでの待ち時間が短くなるため、給湯機本体とリモコンとの応答性のより良いものとすることができる。
【０００９】
また、請求項２では、給湯機本体とこの本体に通信可能に接続され、この本体を遠隔操作する複数のリモコンとからなり、本体からのデータが各リモコンに送信された後に各リモコンからのデータがポーリング方式により本体に送信される通信フレームを構成し、本体からリモコンに送信する一連のデータを複数のデータ群に分割し、複数の通信フレームに分けて周期的に順次送信する通信制御手段と、リモコンの操作に応じて本体から送信するデータに変更が生じた場合は、変更のあったデータを含むデータ群を他の変更のないデータ群に優先して送信するようにしたデータ送信順序変更手段とを備えたものとした。
【００１０】
これにより、給湯機本体から各リモコンに送信するデータのデータ長が短くなり、各リモコンから給湯機本体にデータを送信するまでの待ち時間が短くなると共に、リモコンの操作に応じて給湯機本体から送信される変更のあったデータを含むデータ群が他の変更のないデータ群に優先して送信されるため、給湯機本体とリモコンとの応答性のより良いものとすることができる。
【００１１】
【発明の実施の形態】
次に本発明の一実施形態を図面に基づいて説明する。
１は給湯機本体、２、３は本体１と通信可能に接続され、この本体１を遠隔操作するリモコンである。
【００１２】
前記リモコン２、３には、給湯機本体１を操作指示するためのスイッチからなる操作部４と、本体１との通信に基づき本体１の状態を示す表示部５と、本体１と通信するための通信回路６と、操作部４と表示部５とを制御すると共に、通信回路６と接続されて本体１とデータの通信を行うリモコン制御部７とが設けられている。なお、リモコン２、３から給湯機本体１に送信するデータは操作された操作部４のスイッチ情報である。
【００１３】
前記給湯機本体１には、本体１の作動を制御する本体制御部８と、本体制御部８からのデータをリモコン２、３に送信し、リモコン２、３からのデータを受信するための通信回路９とが設けられている。
【００１４】
なお、給湯機本体１には給湯を行うための機能部品が設けられているが従来公知の内容であるのでその説明を省略している。これら給湯を行うための機能部品は石油給湯機、ガス給湯器、電気温水器、ヒートポンプ式給湯機等の公知の給湯機の種類に応じて機能部品を適宜組み合わせて配置すればよいものである。
【００１５】
前記本体制御部８には、本体１からのデータが各リモコン２、３に送信された後に各リモコン２、３からのデータがポーリング方式により本体１に送信される通信フレームを構成し、給湯機本体１からリモコン２、３に送信する一連のデータを複数のデータ群（例えば、データ群α、β、γ）に分割し、データ群毎に定められたデータコードとそれに対応するデータを複数の通信フレームに分けて周期的に順次送信する通信制御手段１０と、リモコン２、３の操作に応じて本体１から送信するデータに変更が生じた場合は、変更のあったデータを含むデータ群を他の変更のないデータ群に優先して送信するようにしたデータ送信順序変更手段１１とが設けられている。なお、給湯機本体１からリモコン２、３に送信されるデータは、主にリモコン２、３の表示部５に表示される内容に関するものである。
【００１６】
次に、図２に基づきこの一実施形態の作動について説明すると、まず、通信制御手段１０は番号の若いデータコードとそれに対応するデータ（データ群α）にリモコン２に対する応答要求を結合した信号ＣＳＩαを接続されている全てのリモコンに向けて送信する。ここで、データ群αを送信する信号をＣＳＩαとよび、データ群β、γに関しても同様にＣＳＩβ、ＣＳＩγとよぶ。
【００１７】
次に、リモコン２からデータを受信した旨の返答ＲＰ２を受信するとリモコン３に対して応答要求信号ＣＱＩを送信する。そしてリモコン３からデータを受信した旨の返答信号ＲＰ１を受信することで１つの通信フレームが構成され、次の通信フレームでは通信制御手段１０は次のデータコードとそれに対応するデータ（データ群β）にリモコン２に対する応答要求を結合した信号ＣＳＩβを送信するようにして通信フレーム単位の周期を繰り返し、本体１から各リモコン２、３に通信フレーム毎にデータ群αからγまでを順次周期的に送信する。
【００１８】
ここで、リモコン２の操作部４が操作されると、リモコン制御部７は操作されたスイッチ情報を記憶し、給湯機本体１からの応答要求を受信した際に記憶したスイッチ情報信号ＲＳＩ１を給湯機本体１に送信するようにしている。
【００１９】
そして、本体制御部８はリモコン２から受信したスイッチ情報に基づき給湯機本体１の作動を制御し、これによってリモコン２、３に送信する表示に関するデータ（ここではデータ群γに含まれている）が変化することとなる。例えば、リモコン２または３で操作されたスイッチが給湯設定温度の変更スイッチである場合、このスイッチ情報が給湯機本体１で受信されると給湯設定温度が変化し、それに伴い各リモコン２、３に送信されるべき給湯設定温度に関するデータが変化する。
【００２０】
そして、データ送信順序変更手段１１は、この変更されたデータを含むデータ群（ここではデータ群γ）をリモコン２、３に送信するようデータコード順（α→β→γ→α→‥）に送信していたデータ群の送信順序を変化のあったデータ群（データ群γ）を送信順序に即座に割り込ませて送信するよう変更するようにしており、各リモコン２、３の表示部５には変更のあったデータに関する表示が即座に更新されることとなる。
【００２１】
このように、給湯機本体１から各リモコン２、３に送信するデータを分割して、リモコンとのポーリング方式により通信する通信フレームに分けて送信するようにしたので、各リモコン２、３から給湯機本体１にデータを送信するまでの待ち時間を短くすることができると共に、各リモコン２、３の操作に応じて給湯機本体１から送信される変更のあったデータを含むデータ群が他の変更のないデータ群に優先して送信されるため、給湯機本体１と各リモコン２、３との応答性をより良いものとすることができ、リモコン操作に応じたリモコン表示の変更が即座に行われる。
【００２２】
なお、前記データ送信順序変更手段１１は、変化のあったデータ群を通常の送信順序に割り込ませるようにしているが、これに限られず、変化のあったデータ群を優先して送信し、本来変化のあったデータ群が送信される順番ではこの変化のあったデータ群を飛ばして送信するように送信順序を変更するようにしても良く、要は変化のあったデータ群を他の変化のないデータ群に優先して即座に送信できるようデータ群の送信順序を変更するようにすればよいものである。
【００２３】
【発明の効果】
以上のように、本発明の請求項１によれば、給湯機本体から各リモコンに送信するデータのデータ長が短くなり、各リモコンから給湯機本体にデータを送信するまでの待ち時間が短くなるため、給湯機本体とリモコンとの応答性のより良いものとすることができるといった非常に優れた効果を有するものである。
【００２４】
また、請求項２によれば、給湯機本体から各リモコンに送信するデータのデータ長が短くなり、各リモコンから給湯機本体にデータを送信するまでの待ち時間が短くなると共に、リモコンの操作に応じて給湯機本体から送信される変更のあったデータを含むデータ群が他の変更のないデータ群に優先して送信されるため、給湯機本体とリモコンとの応答性のより良いものとすることができ、リモコン操作に応じたリモコン表示の変更が即座に行われるといった非常に優れた効果を有するものである。
【図面の簡単な説明】
【図１】本発明の一実施形態のブロック図。
【図２】同一実施形態の作動の説明図。
【符号の説明】
１  給湯機本体
２  リモコン
３  リモコン
１０  通信制御手段
１１  データ送信順序変更手段
【図１】
2004257598.tif 000003
【図２】
2004257598.tif 000004